(57)【要約】【課題】  本発明は、複数箇所の見出し部を有し、見出し部にて紙片を見開くことにより見出しに関連する詳しい内容を知ることができる、顧客に対する宣伝効果に優れるとともに訴求効果の大きい見出し部を有する印刷物、及び簡単な製造工程で効率よく製造できるのでコストダウンが可能なその製造方法を提供することである。【解決手段】  縦横同一寸法の横長の２枚の紙片を所定寸法だけ横方向にずらして重ね合わせ、重ね合わせた状態での横方向の中央より所定寸法だけ横方向に寄った位置にて縦方向に２枚の紙片を接着し、２枚の紙片の側端縁が同一面にくるように接着部にて横方向に折り曲げられ、所定寸法だけずれた紙片の側端縁間が見出し部とされた構成の見出し部を有する印刷物及びその製造方法である。【選択図】        図１
2005169836.tif 000002
【特許請求の範囲】
【請求項１】
縦横同一寸法の横長の２枚の紙片を所定寸法だけ横方向にずらして重ね合わせ、重ね合わせた状態での横方向の中央より所定寸法だけ横方向に寄った位置にて縦方向に２枚の紙片を接着し、２枚の紙片の側端縁が同一面にくるように接着部にて横方向に折り曲げられ、所定寸法だけずれた紙片の側端縁間が見出し部とされた構成からなることを特徴とする見出し部を有する印刷物。
【請求項２】
２台の輪転印刷機を使用して同一巾を有する２枚の連続用紙に所定の印刷を行う工程と、印刷された一方の連続用紙の上に他方の連続用紙を巾方向に所定寸法だけずらして一方の連続用紙の一方の側端部が露出するように重ね合わせる工程と、重ね合わせた状態での巾方向の中央よりも所定寸法だけ他方の側端側に寄った位置にて流れ方向に重ね合わせた２枚の連続用紙を接着する工程と、接着した２枚の連続用紙を接着部にて流れ方向に他方の連続用紙を内側にして折り曲げる工程と、接着して折り曲げた連続用紙を所定位置にて流れに直角方向に断裁する工程からなることを特徴とする見出し部を有する印刷物の製造方法。
【請求項３】
接着して折り曲げられた連続用紙を流れに直角方向に所定位置にて所定寸法の２倍の長さに断裁し、断裁された連続用紙の流れ方向の中央部にて流れに直角方向に折り曲げ、折目部を断裁して除去する工程を有することを特徴とする請求項２記載の見出し部を有する印刷物の製造方法。
【発明の詳細な説明】
【技術分野】
【０００１】
本発明は、複数箇所の見出し部を備えた新聞折り込み用チラシ等として使用するのに適した見出し部を有する印刷物及びその製造方法に関する。
【背景技術】
【０００２】
従来、見出しが設けられた印刷物としては、表紙と該表紙間に挟み込まれた綴じ込み物からなり、綴じ込み物が、連続した１枚の平面体を山折り・谷折りに連続して折り曲げると共に、折り曲げ長さが一定した複数の寸法幅にされ、該寸法幅の差により階段状の段差が形成され、階段状の段差に見出しが設けられている構成の薄物印刷物（例えば、特許文献１参照）が知られている。
【特許文献１】特開平７−２５７０６８号公報
【０００３】
しかしながら、上記の階段状の段差に見出しが設けられた薄物印刷物は、連続した１枚の平面体を山折り・谷折りに連続して折り曲げて作製されるものであるため、工程が煩雑となり効率よく製造するのが困難であるとともに、印刷が連続した１枚の平面体の一方の面のみに限定されてしまうため、多量の情報を印刷できないという欠点を有している。
【発明の開示】
【発明が解決しようとする課題】
【０００４】
本発明は、複数箇所の見出し部を有し、見出し部にて紙片を見開くことにより見出しに関連する詳しい内容を知ることができるので、顧客に対する宣伝効果に優れ訴求効果が大きい、新聞折り込み用チラシ等として使用するのに適した見出し部を有する印刷物、及びそれを簡単に効率よく製造できる製造方法を提供することである。
【課題を解決するための手段】
【０００５】
縦横同一寸法の横長の２枚の紙片を所定寸法だけ横方向にずらして重ね合わせ、重ね合わせた状態での横方向の中央より所定寸法だけ横方向に寄った位置にて縦方向に２枚の紙片を接着し、２枚の紙片の側端縁が同一面にくるように接着部にて横方向に折り曲げられ、所定寸法だけずれた紙片の側端縁間が見出し部とされた構成からなる見出し部を有する印刷物である。
【０００６】
２台の輪転印刷機を使用して同一巾を有する２枚の連続用紙に所定の印刷を行う工程と、印刷された一方の連続用紙の上に他方の連続用紙を巾方向に所定寸法だけずらして一方の連続用紙の一方の側端部が露出するように重ね合わせる工程と、重ね合わせた状態での巾方向の中央よりも所定寸法だけ他方の側端側に寄った位置にて流れ方向に重ね合わせた２枚の連続用紙を接着する工程と、接着した２枚の連続用紙を接着部にて流れ方向に他方の連続用紙を内側にして折り曲げる工程と、接着して折り曲げた連続用紙を所定位置にて流れに直角方向に断裁する工程からなる見出し部を有する印刷物の製造方法である。
【０００７】
接着して折り曲げられた連続用紙を流れに直角方向に所定位置にて所定寸法の２倍の長さに断裁し、断裁された連続用紙の流れ方向の中央部にて流れに直角方向に折り曲げ、折目部を断裁して除去する工程を有する見出し部を有する印刷物の製造方法である。
【発明の効果】
【０００８】
本発明の見出し部を有する印刷物は、折り畳んだ状態で複数箇所の見出し部を有しており、見出し部にて紙片を見開くことにより、見出しに関連する詳しい内容を知ることができる、見開く頁がわかりやすく見開きやすい、顧客に対する宣伝効果が優れ、訴求効果の大きい、新聞折り込み用チラシ等として使用するのに適したものである。
【０００９】
本発明の製造方法とすることにより、２台の輪転印刷機を使用して、同一幅の連続用紙に印刷し、巾方向にずらして重ねあわせ、所定位置にて接着して折り曲げ、所定位置にて裁断する方法にて、簡単に効率よく製造できるのでコストダウンが図れる。            
【発明を実施するための最良の形態】
【００１０】
以下、図面を引用して本発明の実施の形態を説明する。
図１は本発明の実施形態の見出し部を有する印刷物を示す平面図、図２は図１のＩ−Ｉ線断面図、図３は本発明の実施形態の見出し部を有する印刷物を見開いた状態の斜視図、図４は実施形態の見出し部を有する印刷物の製造工程において、印刷された２枚の連続用紙を巾方向に所定寸法だけずらして重ね合わせ接着した状態の平面図、図５は図４に示す状態から接着部にて上側の連続用紙を内側にして折り曲げた状態の平面図であって、１，２は紙片、1a，1b，2a，2bは頁紙片、３は接着部、4a，4b，4cは見出し部、５は見出しに関連する情報、６は断裁線、ｄは見出し部巾、Ａ，Ｂは連続用紙をそれぞれ表す。
【００１１】
本発明の見出し部を有する印刷物の実施形態は、折り畳んだ状態の平面図が図１に、断面図が図２にそれぞれ示されているとおりであり、縦横同一寸法で横長の紙片１と紙片２を、紙片１上に紙片２を一方の側端にて見出し部巾ｄだけ横方向にずらして重ね合わせ、紙片１と紙片２を重ねた状態の横方向の中央よりも見出し部巾ｄだけ他方の側端側に寄った位置にて上下方向の全長にわたって接着部３にて２枚の紙片１，２を接着し、接着部３にて２枚の紙片１，２を紙片２を内側にして折り曲げることにより得られる、頁紙片1aと頁紙片1aと頁紙片2aと頁紙片2bの４枚の紙片からなり、頁紙片1aと頁紙片2aの側端縁間に見出し部4aが、頁紙片2aと頁紙片2bの側端縁間に見出し部4bが、頁紙片2bと頁紙片1bの側端縁間に見出し部4cがそれぞれ形成された構成である。
【００１２】
実施形態の断面形状は、図２に示すように、紙片１にて形成される頁紙片1aと頁紙片1b及び紙片２にて形成される頁紙片2aと頁紙片2bが、下側から順に頁紙片1aと頁紙片2aと頁紙片2bと頁紙片1bが重なり合った状態であって、頁紙片1aと頁紙片2aの側端縁間に見出し部4aが、頁紙片2aと頁紙片2bの側端縁間に見出し部4bが、頁紙片2bと頁紙片1bの側端縁間に見出し部4cがそれぞれ形成され、見出し部と反対側の側端縁にて紙片１と紙片２が接着部３にて接着して綴じられている構成である。
【００１３】
実施形態の見出し部を有する印刷物の頁紙片1bを見開いた状態の斜視図は、図３に示すとおりであり、頁紙片2bの見出し部4cに対応する見出しに関連する情報５が頁紙片2bの上面と頁紙片1bの下面に印刷されているので、頁紙片1bを見開くことにより頁紙片2bの見出し部4cに対応する詳細な情報を見ることができる。また、頁紙片2aの見出し部4bに対応する見出しに関連する情報が頁紙片2aの上面と頁紙片2bの下面に印刷され、頁紙片1aの見出し部4aに対応する見出しに関連する情報が頁紙片1aの上面と頁紙片2aの下面に印刷されているので、見出し部にて紙片を見開くことにより、見出しに関連する情報を簡単に見ることができるものである。
【００１４】
本発明の見出し部を有する印刷物における見出し部には、月日表示、階別表示、食品・衣料など種別表示等が印刷され、見出し部にて見開いた各紙片には見出し表示に関連した情報が印刷されている。この見出し部を有する印刷物を受け取った顧客は、見出し部の表示を見ることにより自分の見たい頁を簡単に見つけることができ、見出し部にて紙片を見開くことにより、見出しに関連した詳細な情報を簡単に見ることができるので、新聞折り込み用チラシ等として使用した場合、顧客に対する訴求効果及び宣伝効果の優れたきわめて見やすいチラシとなる。
【００１５】
実施形態の見出し部を有する印刷物の製造方法の概略は下記の通りである。２台の輪転印刷機を使用し、一方の輪転印刷機にて連続用紙Ａに、他方の輪転印刷機にて連続用紙Ａと同一巾の連続用紙Ｂに、それぞれ所定の絵柄を印刷した後に、連続用紙Ａ上に連続用紙Ｂを連続用紙Ａの一方の側端縁部が露出するように見出し部巾ｄだけ巾方向にずらして重ね合わせ、連続用紙Ａと連続用紙Ｂを重ね合わせた状態の巾方向の中央より見出し部巾ｄだけ連続用紙Ａの他方の側端縁側に寄った位置にて、連続用紙Ａと連続用紙Ｂを流れに平行方向に接着部３にて接着して、図４に示す状態とする。連続用紙Ａと連続用紙Ｂを巾方向にずらして重ね合わせ接着することにより、連続用紙Ａと連続用紙Ｂの側端縁間に見出し部4aが形成された状態となる。
【００１６】
図４に示す状態から、接着した連続用紙Ａと連続用紙Ｂを接着部３にて流れに平行方向に連続用紙Ｂを内側にして折り曲げて、図５に示す状態とする。この状態で、一方の側端側に見出し部4a,4b,4cが形成された状態となる。次いで、流れに直角方向の断裁線に沿って断裁することにより、図１に示す、折り畳んだ状態の見出し部を有する印刷物が得られる。なお、流れに直角方向の断裁線５にて断裁する際に、１つおきの断裁線５にて断裁して流れ方向の寸法を所定の２倍の長さとし、流れ方向の中央の断裁線５にて流れに直角方向に折り曲げた後に、折目部を断裁して除去する方法とすることもできる。
【００１７】
本発明の製造方法を採用することにより、２台の輪転印刷機を使用して同一巾を有する２枚の連続用紙に所定の印刷を行った後、印刷とインラインで、２枚の連続用紙の重ね合わせ加工、接着加工、折り曲げ加工、断裁加工を行うことにより、見出し部を有する印刷物を効率よく生産することができるのでコストダウンを図ることが可能となる。
【図面の簡単な説明】
【００１８】
【図１】本発明の実施形態の見出し部を有する印刷物の折り曲げた状態の平面図。
【図２】図１のＩ−Ｉ線断面図。
【図３】本発明の実施形態の見出し部を有する印刷物を見開いた状態の斜視図。
【図４】実施形態の見出し部を有する印刷物の製造工程において、印刷された２枚の連続用紙を巾方向に所定寸法だけずらして重ね合わせ接着した状態の平面図。
【図５】図４に示す状態から接着部にて上側の連続用紙を内側にして折り曲げた状態の平面図。
【符号の説明】
【００１９】
１，２  紙片
1a，1b，2a，2b  頁紙片
３  接着部
4a，4b，4c  見出し部
５  見出しに関連する情報
６  断裁線
ｄ  見出し部巾
Ａ，Ｂ  連続用紙
【図１】
2005169836.tif 000003
【図２】
2005169836.tif 000004
【図３】
2005169836.tif 000005
【図４】
2005169836.tif 000006
【図５】
2005169836.tif 000007